(57)【要約】【課題】  載置したい物の大きさや形に合わせて横幅や奥行を調整できると共に、載置物の支承高さを調整できる載置台を提供すること。【解決手段】  二本の棒状体１を交差枢着してこの枢着部２を支点に各棒状体１を水平方向に回動することで各棒状体１の先端部間の間隔を調整可能なＸ字状本体Ａを構成し、このＸ字状本体Ａの前記各棒状体１の先端部に、接地用脚部３を垂設状態に設けると共に、このＸ字状本体Ａ上に載置する載置物Ｓを支承する支承部４を設け、この接地用脚部３の接地下端と前記支承部４の支承上端の長さを調整し得る高さ調整手段５を備えた載置台。【選択図】      図１
2006242534.tif 000002
【特許請求の範囲】
【請求項１】
二本の棒状体を交差枢着してこの枢着部を支点に各棒状体を水平方向に回動することで各棒状体の先端部間の間隔を調整可能なＸ字状本体を構成し、このＸ字状本体の前記各棒状体の先端部に、接地用脚部を垂設状態に設けると共に、このＸ字状本体上に載置する載置物を支承する支承部を設け、この接地用脚部の接地下端と前記支承部の支承上端の長さを調整し得る高さ調整手段を備えたことを特徴とする載置台。
【請求項２】
二本の棒状体を交差枢着してこの枢着部を支点に各棒状体を水平方向に回動することで各棒状体の先端部間の間隔を調整可能なＸ字状本体を構成し、このＸ字状本体の前記各棒状体の先端部に、接地用脚部を垂設状態に設けると共に、このＸ字状本体上に載置する載置物を支承する支承部を設け、この接地用脚部の接地下端と前記支承部の支承上端の長さを調整し得る高さ調整手段を備え、前記支承部の支承上端に、ゴムなどの弾力性のある樹脂材で少なくとも上面を凸湾曲状に形成して成る滑り止め部を設けたことを特徴とする載置台。
【請求項３】
前記高さ調整手段は、長さが異なる複数の前記接地用脚部と、長さが異なる複数の前記支承部とを選択して前記Ｘ字状本体の各棒状体に着脱自在に取り付けし得る取付部を、この各棒状体の先端部と，複数の接地用脚部または複数の支承部とのいずれか一方若しくは双方に設けて構成したことを特徴とする請求項１,２のいずれか１項に記載の載置台。
【請求項４】
前記取付部は、少なくとも前記接地用脚部と前記支承部とに、前記各棒状体の先端部に対して着脱自在に螺着する螺着構造を設けて構成したことを特徴とする請求項３記載の載置台。
【請求項５】
前記接地用脚部の接地下端と、前記支承部の支承上端とに滑り止め部を設けたことを特徴とする請求項１〜４のいずれか１項に記載の載置台。
【請求項６】
前記Ｘ字状本体の前記枢着部に載置台板を設け、この載置台板を介して前記支承部に載置支承した載置物の下方に介在物を載置し得るように構成したことを特徴とする請求項１〜５のいずれか１項に記載の載置台。
【発明の詳細な説明】
【技術分野】
【０００１】
本発明は、物を載せる載置台に関するものである。
【背景技術】
【０００２】
物を載せる台は色々なものがあるが、載置物の大きさや形に合わせて台の横幅や奥行を調整したり、高さを調整したりできるようなものはない。
【発明の開示】
【発明が解決しようとする課題】
【０００３】
本発明は、この点、載置したい物の大きさや形に合わせて載置物に対し支承部の位置を調整できると共に、載置物の支承高さを調整できる非常に実用的な載置台を提供することが技術的課題である。
【課題を解決するための手段】
【０００４】
添付図面を参照して本発明の要旨を説明する。
【０００５】
二本の棒状体１を交差枢着してこの枢着部２を支点に各棒状体１を水平方向に回動することで各棒状体１の先端部間の間隔を調整可能なＸ字状本体Ａを構成し、このＸ字状本体Ａの前記各棒状体１の先端部に、接地用脚部３を垂設状態に設けると共に、このＸ字状本体Ａ上に載置する載置物Ｓを支承する支承部４を設け、この接地用脚部３の接地下端と前記支承部４の支承上端の長さを調整し得る高さ調整手段５を備えたことを特徴とする載置台に係るものである。
【０００６】
また、二本の棒状体１を交差枢着してこの枢着部２を支点に各棒状体１を水平方向に回動することで各棒状体１の先端部間の間隔を調整可能なＸ字状本体Ａを構成し、このＸ字状本体Ａの前記各棒状体１の先端部に、接地用脚部３を垂設状態に設けると共に、このＸ字状本体Ａ上に載置する載置物Ｓを支承する支承部４を設け、この接地用脚部３の接地下端と前記支承部４の支承上端の長さを調整し得る高さ調整手段５を備え、前記支承部４の支承上端に、ゴムなどの弾力性のある樹脂材で少なくとも上面を凸湾曲状に形成して成る滑り止め部６を設けたことを特徴とする載置台に係るものである。
【０００７】
また、前記高さ調整手段５は、長さが異なる複数の前記接地用脚部３と、長さが異なる複数の前記支承部４とを選択して前記Ｘ字状本体Ａの各棒状体１に着脱自在に取り付けし得る取付部15を、この各棒状体１の先端部と，複数の接地用脚部３または複数の支承部４とのいずれか一方若しくは双方に設けて構成したことを特徴とする請求項１,２のいずれか１項に記載の載置台に係るものである。
【０００８】
また、前記取付部15は、少なくとも前記接地用脚部３と前記支承部４とに、前記各棒状体１の先端部に対して着脱自在に螺着する螺着構造を設けて構成したことを特徴とする請求項３記載の載置台に係るものである。
【０００９】
また、前記接地用脚部３の接地下端と、前記支承部４の支承上端とに滑り止め部６を設けたことを特徴とする請求項１〜４のいずれか１項に記載の載置台に係るものである。
【００１０】
また、記Ｘ字状本体Ａの前記枢着部２に載置台板７を設け、この載置台板７を介して前記支承部４に載置支承した載置物Ｓの下方に介在物Ｋを載置し得るように構成したことを特徴とする請求項１〜５のいずれか１項に記載の載置台に係るものである。
【発明の効果】
【００１１】
本発明は上述のように構成したから、枢着部を支点に各棒状体を水平方向に回動するだけで、載置物の大きさ（横幅、奥行）や形に応じて各支承部の間隔を簡単に調整できるので、どのような載置物であっても安定良く支承載置できることになり、しかも、高さ調整手段により載置物の支承高さを調整できるので、載置物を用途や状況等に応じて意図した高さに載置することができるなど、極めて実用性に秀れた画期的な載置台となる。
【００１２】
また、請求項２記載の発明においては上述のように構成したから、前記作用・効果に加えて、支承部に一層安定的に載置物を載置支承できると共に、凸湾曲状の滑り止め部は載置物の支承箇所の形を選ばず、どのような形の箇所であっても確実に当接支承できるし、弾力性があるため載置物を傷付けるもことないなどの秀れた実用上の効果を発揮する画期的な載置台となる。
【００１３】
また、請求項３記載の発明においては、単に長さが異なる複数の接地用脚部と支承部とを適宜交換することで簡単に高さ調整を行うことができる上、この高さ調整手段の構成は簡易に設計実現可能な構成であって量産性に秀れるなど、一層実用性に秀れた構成の載置台となる。
【００１４】
また、請求項４記載の発明においては、接地用脚部と支承部の交換作業（高さ調整作業）が容易に行われると共に、この接地用脚部と支承部の回動螺動により接地用脚部の接地下端と支承部の支承上端の長さ（載置物の載置高さ）を微調整できる構成とすることも容易に可能であるなど、一層実用性に秀れた構成の載置台となる。
【００１５】
また、請求項５記載の発明においては、本載置台を接地面に対して一層安定的に接地できると共に、支承部に一層安定的に載置物を載置支承できることになる極めて実用性に秀れた構成の載置台となる。
【００１６】
また、請求項６記載の発明においては、例えば、載置台板上に保温効果や保冷効果のある介在物を載置し、この介在物より上方位置に前記支承部によって食品等の内容物を収容した容器等の載置物を載置して、載置物内の内容物に保温・保冷作用を付与するような使い方もできる一層実用性に秀れた構成の載置台となる。
【発明を実施するための最良の形態】
【００１７】
好適と考える本発明の実施形態（発明をどのように実施するか）を、図面に基づいて本発明の作用を示して簡単に説明する。
【００１８】
Ｘ字状本体Ａの前記各棒状体１の先端部の接地用脚部３を接地面に接地し、この各棒状体１先端部の支承部４に載置物Ｓを載置する。
【００１９】
また、枢着部２を支点に各棒状体１を水平方向に回動することで各棒状体１の先端部間の間隔を調整可能、即ち、載置物Ｓの大きさ（横幅、奥行）や形に応じて各支承部４の間隔を調整することができ、これにより載置物Ｓを安定良く支承載置できることになる。
【００２０】
また、必要に応じて、高さ調整手段５により接地用脚部３の接地下端と前記支承部４の支承上端の長さを調整できるので、載置物Ｓを用途や状況等に応じて意図した高さに載置することができ、非常に実用的となる。
【００２１】
また、前記支承部４の支承上端に、ゴムなどの弾力性のある樹脂材で少なくとも上面を凸湾曲状に形成して成る滑り止め部６を設けた場合は、支承部４に極めて安定的に載置物Ｓを載置支承できると共に、凸湾曲状の滑り止め部６は載置物Ｓの支承箇所の形を選ばず、どのような形の箇所であっても確実に当接支承できるし、弾力性があるため載置物Ｓを傷付けるもことないなど、一層実用的となる。
【００２２】
また、例えば、前記高さ調整手段５は、接地下端の長さが異なる複数の前記接地用脚部３と、支承上端の長さが異なる複数の前記支承部４とを選択して前記Ｘ字状本体Ａの各棒状体１に着脱自在に取り付けし得る取付部15を、この各棒状体１の先端部と，複数の接地用脚部３または複数の支承部４とのいずれか一方若しくは双方に設けて構成すれば、単に長さが異なる複数の接地用脚部３と支承部４とを適宜交換することで簡単に高さ調整を行うことができる上、この高さ調整手段５の構成は簡易に設計実現可能な構成であり、量産性に秀れるなど、一層実用的となる。
【００２３】
また、例えば、前記取付部15は、少なくとも前記接地用脚部３と前記支承部４とに、前記各棒状体１の先端部に対して着脱自在に螺着する螺着構造を設けて構成すれば、接地用脚部３と支承部４の交換作業（高さ調整作業）が容易に行われると共に、この接地用脚部３と支承部４の回動螺動により接地用脚部３の接地下端と支承部４の支承上端の長さ（載置物Ｓの載置高さ）を微調整できる構成とすることも容易に可能であるなど、一層実用的となる。
【００２４】
また、例えば、前記接地用脚部３の接地下端と、前記支承部４の支承上端とに滑り止め部６を設ければ、本載置台を接地面に対して一層安定的に接地できると共に、支承部４に一層安定的に載置物Ｓを載置支承できることになる。
【００２５】
また、例えば、前記Ｘ字状本体Ａの前記枢着部２に載置台板７を設け、この載置台板７を介して前記支承部４に載置支承した載置物Ｓの下方に介在物Ｋを載置し得るように構成すれば、例えば、載置台板７上に保温効果や保冷効果のある介在物Ｋを載置し、この介在物Ｋより上方位置に前記支承部４によって食品等の内容物を収容した容器等の載置物Ｓを載置して、載置物Ｓ内の内容物に保温・保冷作用を付与するような使い方もでき、一層実用的となる。
【実施例】
【００２６】
本発明の具体的な実施例について図面に基づいて説明する。
【００２７】
本実施例は、図１〜図３に示すように、二本の棒状体１を交差枢着してこの枢着部２を支点に各棒状体１を水平方向に回動することで各棒状体１の先端部間の間隔を調整可能なＸ字状本体Ａを構成している。
【００２８】
具体的には、棒状体１は帯板材を採用して構成し、この帯板状の棒状体１の夫々の中間部を交差重合すると共に、この中間重合部を回動自在に枢着している。図中符号２Ａは枢着軸、２Ｂは座金である。
【００２９】
また、この重合枢着した二本の棒状体１のうちの一方の両先端部を段差形状に屈曲形成して、Ｘ字状本体Ａを水平状態とした際に、二本の棒状体の両先端部の高さが同じ高さとなるように構成している。更に詳しくは、図面では、上に重合した棒状体１の両先端部を下方に向かって段差を生じるように屈曲形成している。尚、下に重合した棒状体１の両先端部を上方に向かって段差を生じるように屈曲形成して、二本の棒状体の両先端部の高さが同じ高さとなるように構成しても良い。
【００３０】
また、本実施例では、このＸ字状本体Ａの前記各棒状体１の先端部に接地用脚部３を設けると共に、この先端部にＸ字状本体Ａ上に載置する載置物Ｓを支承する支承部４を設けている。
【００３１】
具体的には、支承部４は、図４，図５に示すように、略円錐形状を呈する構造体を採用し、この略円錐形の支承部４の尖鋭側を支承側（上側）としている。
【００３２】
また、この支承部４の上部を略平坦面状に形成し、この上部平坦部に、ゴムなどの弾力性のある樹脂材で上面を凸湾曲状（球面状）に形成して成る半球状の滑り止め部６を付設している。従って、この滑り止め部６により支承部４に安定的に載置物Ｓを載置支承でき、また、滑り止め部６の凸湾曲上面により、載置物Ｓの支承箇所の形を問わずにどのような箇所であっても確実に当接支承できると共に、弾力性により載置物Ｓを傷付けずに載置支承できる構成としている。
【００３３】
また、接地用脚部３は、支承部４と同構造のものを、支承部４とは上下逆向きにして使用する構成としている。
【００３４】
即ち、本実施例では、接地用脚部３と支承部４の部品を共用して部品コストを削減している。
【００３５】
本実施例では、接地用脚部３をＸ字状本体Ａの前記各棒状体１の先端部に垂設状態に設け、支承部４をこの各棒状体１の先端部に立設状態に設けている。
【００３６】
また、本実施例では、この接地用脚部３の接地下端と前記支承部４の支承上端の長さを調整し得る高さ調整手段５を備えている。
【００３７】
具体的には、前記高さ調整手段５は、接地下端の長さが異なる複数の前記接地用脚部３と、支承上端の長さが異なる複数の前記支承部４とを用意し、この複数の接地用脚部３と支承部４とを適宜選択して前記取付部15に取付固定することで、高さ調整できる構成としている（図１，図７参照。）。
【００３８】
更に詳しく説明すると、この接地用脚部３と支承部４の、前記棒状体１先端部への取付構造は、図４，図５に示すように、接地用脚部３の上部平坦面の中心位置に雌螺子部15Ａ（ナット）を埋設する一方、この雌螺子部15Ａに螺着し得る雄螺子部15Ｂ（螺子杆）を支承部４の下部平坦面の中心位置に突設している。尚、この雌螺子部15Ａと雄螺子部15Ｂの関係は、接地用脚部３と支承部４とで逆転しても良い。
【００３９】
また、前記Ｘ字状本体Ａの二本の棒状体１の夫々の両先端部を、接地用脚部３の上部平坦面及び支承部４の下部平坦面の形状に略合致する円板形状に形成し、この円板状先端部の中心位置に前記雄螺子部15Ｂを貫通取付する貫通取付孔15Ｃを形成している。
【００４０】
そして、この円板状先端部の上方から支承部４の雄螺子部15Ｂを貫通取付孔15Ｃに貫通した上、この円板状先端部の下方から接地用脚部３を配して雌螺子部15Ａを雄螺子部15Ｂに螺着することで、この二本の棒状体１の夫々の両先端部に、上部に支承部４が立設状態に固定され、下部に接地用脚部３が垂設状態に固定される構成としている。図中符号８は座金である。
【００４１】
即ち、本実施例では、接地用脚部３（の雌螺子部15Ａ）と、支承部４（の雄螺子部15Ｂ）と、棒状体１（の貫通取付孔15Ｃ）とで前記取付部15を構成している。
【００４２】
また、径大側基部平坦面から接地下端若しくは支承上端となる滑り止め部６までの長さの異なる数種（例えば、５ｃｍ長，９ｃｍ長，１５ｃｍ長等）の接地用脚部３と支承部４とを用意し、この数種の接地用脚部３と支承部４とを適宜着脱交換することで、高さ調整できる構成としている。
【００４３】
図１では、接地用脚部３と支承部４の双方共長さのないものを用いた場合を示し、図４，図７では、接地用脚部３よりも支承部４の方が長いものを用いて、図１よりも支承高さを高くした場合を示している。
【００４４】
尚、この高さ調整手段５は、例えば、接地用脚部３と支承部４とを棒状体１の先端部に取付固定する構造ではな、単に高さの異なる接地用脚部３と支承部４とを、棒状体１の先端部に対して置き換えることで高さ調整できる構成としても良いし、棒状体１の先端部に対して接地用脚部３と支承部４とが螺着されて接地用脚部３と支承部４との回動螺動により高さ調整できる構成としても良いし、その他の高さ調整構造を採用しても良く、適宜設計変更可能である。
【００４５】
従って、このように構成した本実施例によれば、四箇所の接地用脚部３を介して本載置台を接地面に接地することができ、各棒状体１先端部の四箇所の支承部４で適宜な載置物Ｓを支承載置（四点支持）することができる。尚、図６では載置物Ｓとしてトレーを載置支承した場合を示している。
【００４６】
また、枢着部２を支点に各棒状体１を水平方向に回動することで各棒状体１の先端部間の間隔を調整可能、即ち、載置物Ｓの大きさ（横幅、奥行）や形状に応じて各支承部４の間隔を調整することができるので、載置物Ｓを極めて安定良く支承載置できる（図２参照。）。
【００４７】
また、必要に応じて（例えば、載置物Ｓの用途や接地場所の状況等に応じて）、高さ（長さ）の異なる複数の接地用脚部３と支承部４とを交換して（前記高さ調整手段５により）接地用脚部３の接地下端と前記支承部４の支承上端の長さを調整できるので、載置物Ｓを意図した高さに載置することができる。
【００４８】
また、図８に示すように、支承部４を取り外してＸ字状本体Ａ上や後述する載置台板７上に載置物Ｓを載置するような使い方も可能である。
【００４９】
また、本実施例では、前記Ｘ字状本体Ａの前記枢着部２に載置台板７を設け、この載置台板７を介して前記支承部４に載置支承した載置物Ｓの下方に介在物Ｋを載置し得るように構成している。
【００５０】
具体的には、載置台板７は円板体を採用し、この円板状の載置台板７を枢着部２の枢着軸２Ａを利用（例えば、枢着軸２Ａ先端に螺子を形成して螺着するなど）して固定している（図３参照。）。
【００５１】
この載置台板７は、例えば、図９に示すように、載置台板７上に保温効果や保冷効果のある介在物Ｋを載置し、この介在物Ｋより上方位置に前記支承部４によって食品を収容した載置物Ｓ（鍋Ｓ）を載置して、載置物Ｓ内の食品に保温・保冷作用を付与するような使い方ができる。図面では、介在物Ｋとして固形燃料Ｋを載置台板７に載置して、支承部４に支承した鍋Ｓを保温した場合を示している。
【００５２】
また、本実施例では、前記したように接地用脚部３と支承部４とを共用部品としたことで、Ｘ字状本体Ａを上下逆にしても問題なく使用できるので、載置台板７は、枢着部２の上部と下部とに固定して、Ｘ字状本体Ａを表裏どちら側を上にしても使用できる構成としている。この点は、この載置台板７を使用しない通常の使用においても同様である。尚、接地用脚部３と支承部４とを高さの異なるものとしておくと、Ｘ字状本体Ａを上下ひっくり返すだけで載置台板７の高さが変わるので、介在物Ｋに合わせた載置台板７の高さ変更をこのようにして簡易的に行うこともできる。
【００５３】
尚、本発明は、本実施例に限られるものではなく、各構成要件の具体的構成は適宜設計し得るものである。
【図面の簡単な説明】
【００５４】
【図１】本実施例を示す斜視図である。
【図２】本実施例の横幅及び奥行調整構造を示す説明平面図である。
【図３】本実施例の棒状体の枢着構造を示す部分拡大説明側面図である。
【図４】本実施例の接地用脚部と支承部の棒状体の先端部に対する取付構造を示す説明分解斜視図である。
【図５】本実施例の接地用脚部と支承部の棒状体の先端部に対する取付構造を示す説明側断面図である。
【図６】本実施例の使用状態を示す斜視図である。
【図７】本実施例の接地用脚部と支承部とを長さのあるものと交換して図１の状態よりも載置物の支承高さを高くした場合を示す説明斜視図である。
【図８】本実施例の支承部を取り外した状態を示す斜視図である。
【図９】本実施例の載置台板を利用しての使用状態を示す説明斜視図である。
【符号の説明】
【００５５】
１  棒状体
２  枢着部
３  接地用脚部
４  支承部
５  高さ調整手段
６  滑り止め部
７  載置台板
15  取付部
Ａ  Ｘ字状本体
Ｋ  介在物
Ｓ  載置物
【図１】
2006242534.tif 000003
【図２】
2006242534.tif 000004
【図３】
2006242534.tif 000005
【図４】
2006242534.tif 000006
【図５】
2006242534.tif 000007
【図６】
2006242534.tif 000008
【図７】
2006242534.tif 000009
【図８】
2006242534.tif 000010
【図９】
2006242534.tif 000011